(57)【要約】【課題】ベッドの脇から壁までの間隔が狭い状況でも、ベッドの下の空間を有効的に利用することができる実用性に優れた収納ケースを提供することを目的とする。【解決手段】ケース本体１と、このケース本体１の上部開口部２を閉蓋する蓋体３とから成り、ケース本体１を平面視長方形に形成すると共にベッドＢの下の空間Ｓに収納し得る高さに設定し、更にケース本体１の底面にローラ状の走行車輪４を設けてベッドＢの下の空間Ｓに引き出し移動自在に収納する構成とし、走行車輪４は、走行方向をケース本体１の長辺部長さ方向と短辺部長さ方向とに切り替え自在に設けた構成とし、ケース本体１は、一のケース本体１と他のケース本体１とをケース本体１の短辺部長さ方向に係脱自在に連結する連結部５を長辺部側壁部１Ａに設けた構成とした収納ケース。【選択図】図１
2014201320.tif 000002
【特許請求の範囲】
【請求項１】
上部を開口したケース本体と、このケース本体の上部開口部を閉蓋する蓋体とから成り、前記ケース本体を平面視長方形に形成すると共に、前記蓋体で上部開口部を閉蓋した状態でベッドの下の空間に収納し得る高さに設定し、前記ケース本体の底面にローラ状の走行車輪を設けてベッドの下の空間に引き出し移動自在に収納する構成とし、前記走行車輪は、走行方向を前記ケース本体の長辺部長さ方向と短辺部長さ方向とに切り替え自在に設けた構成とし、前記ケース本体は、一のケース本体と他のケース本体とをケース本体の短辺部長さ方向に係脱自在に連結する連結部を長辺部側壁部に設けた構成としたことを特徴とする収納ケース。
【請求項２】
上部を開口したケース本体と、このケース本体の上部開口部を閉蓋する蓋体とから成り、前記ケース本体を平面視長方形に形成すると共に、前記蓋体で上部開口部を閉蓋した状態でベッドの下の空間に収納し得る高さに設定し、前記ケース本体の底面にローラ状の走行車輪を設けてベッドの下の空間に引き出し移動自在に収納する構成とし、前記走行車輪は、走行方向を前記ケース本体の長辺部長さ方向と短辺部長さ方向とに切り替え自在に設けた構成とし、前記蓋体は、前記ケース本体の上部開口部の長さ方向一側を閉蓋する第一蓋半体と、長さ方向他側を閉蓋する第二蓋半体とから成り、前記第一蓋半体及び前記第二蓋半体は夫々、前記上部開口部の長さ方向の中央部側となる内側端部を枢着し、外側端部を上方に持ち上げ回動して開蓋する構成としたことを特徴とする収納ケース。
【請求項３】
上部を開口したケース本体と、このケース本体の上部開口部を閉蓋する蓋体とから成り、前記ケース本体を平面視長方形に形成すると共に、前記蓋体で上部開口部を閉蓋した状態でベッドの下の空間に収納し得る高さに設定し、前記ケース本体の底面にローラ状の走行車輪を設けてベッドの下の空間に引き出し移動自在に収納する構成とし、前記走行車輪は、走行方向を前記ケース本体の長辺部長さ方向と短辺部長さ方向とに切り替え自在に設けた構成とし、前記ケース本体は、一のケース本体と他のケース本体とをケース本体の短辺部長さ方向に係脱自在に連結する連結部を長辺部側壁部に設けた構成とし、前記蓋体は、前記ケース本体の上部開口部の長さ方向一側を閉蓋する第一蓋半体と、長さ方向他側を閉蓋する第二蓋半体とから成り、前記第一蓋半体及び前記第二蓋半体は夫々、前記上部開口部の長さ方向の中央部側となる内側端部を枢着し、外側端部を上方に持ち上げ回動して開蓋する構成としたことを特徴とする収納ケース。
【請求項４】
前記ケース本体の対向する長辺部側壁部の夫々に前記連結部としての係止部及びこの係止部に係合係止する係止受部とを設けると共に、一側の長辺部側壁部に設けた係止部と他側の長辺部側壁部に設けた係止受部とを対向状態に配設し、他側の長辺部側壁部に設けた係止部と一側の長辺部側壁部に設けた係止受部とを対向状態に配設した構成としたことを特徴とする請求項１，３のいずれか１項に記載の収納ケース。
【発明の詳細な説明】
【技術分野】
【０００１】
本発明は、ベッドの下の空間に収納可能な収納ケースに関するものである。
【背景技術】
【０００２】
従来、衣類・雑貨・小物等を収納ケース20に収納し、この収納ケース20をベッドｂの下の空間に収納して、ベッドｂの下の空間を収納スペースとして有効利用している。
【０００３】
一般的には、このベッドｂの下の空間に複数の収納ケース20、例えば、四つの収納ケース20を収納する場合は、図１１（Ａ）に示すように、各収納ケース20をベッドｂの脇（ベッドｂの幅方向の一側）から縦向きに挿入し、これをベッドｂの長さ方向に並設した状態で収納し、夫々の収納ケース20を手前側に引き出して収納ケース内に収納した収納物の出し入れができるような使い方をしている。
【発明の概要】
【発明が解決しようとする課題】
【０００４】
しかしながら、ベッドｂの脇（ベッドｂの幅方向一側）から壁までの間隔が収納ケース20の長さ方向寸法よりも狭い場合は、図１１（Ｂ）に示すように、収納ケース20を手前側に完全にベッドｂの下から引き出すことができず蓋の開閉操作ができないため、収納物の出し入れができない問題が生ずる。
【０００５】
また、上記問題を解決するため、図１１（Ｃ）に示すように、収納ケース20を横向きにしてベッドｂの下の空間の手前側に収納すると、奥側の収納スペースを有効に利用することができず、また、図１１（Ｄ）に示すように、収納ケース20を横向きにした状態で奥行き方向（ベッドｂの幅方向）に並設状態に収納すると、奥側の収納ケース20の出し入れが困難となり使い勝手が悪くなってしまう問題が生じてしまう。
【０００６】
本発明は、上述のような現状に鑑み、ベッドの脇から壁までの間隔が狭い状況でも、ベッドの下の空間を有効的に利用することができる実用性に優れた収納ケースを提供することを目的とする。
【課題を解決するための手段】
【０００７】
添付図面を参照して本発明の要旨を説明する。
【０００８】
上部を開口したケース本体１と、このケース本体１の上部開口部２を閉蓋する蓋体３とから成り、前記ケース本体１を平面視長方形に形成すると共に、前記蓋体３で上部開口部２を閉蓋した状態でベッドＢの下の空間Ｓに収納し得る高さに設定し、前記ケース本体１の底面にローラ状の走行車輪４を設けてベッドＢの下の空間Ｓに引き出し移動自在に収納する構成とし、前記走行車輪４は、走行方向を前記ケース本体１の長辺部長さ方向と短辺部長さ方向とに切り替え自在に設けた構成とし、前記ケース本体１は、一のケース本体１と他のケース本体１とをケース本体１の短辺部長さ方向に係脱自在に連結する連結部５を長辺部側壁部１Ａに設けた構成としたことを特徴とする収納ケースに係るものである。
【０００９】
また、上部を開口したケース本体１と、このケース本体１の上部開口部２を閉蓋する蓋体３とから成り、前記ケース本体１を平面視長方形に形成すると共に、前記蓋体３で上部開口部２を閉蓋した状態でベッドＢの下の空間Ｓに収納し得る高さに設定し、前記ケース本体１の底面にローラ状の走行車輪４を設けてベッドＢの下の空間Ｓに引き出し移動自在に収納する構成とし、前記走行車輪４は、走行方向を前記ケース本体１の長辺部長さ方向と短辺部長さ方向とに切り替え自在に設けた構成とし、前記蓋体３は、前記ケース本体１の上部開口部２の長さ方向一側を閉蓋する第一蓋半体３Ａと、長さ方向他側を閉蓋する第二蓋半体３Ｂとから成り、前記第一蓋半体３Ａ及び前記第二蓋半体３Ｂは夫々、前記上部開口部２の長さ方向の中央部側となる内側端部を枢着し、外側端部を上方に持ち上げ回動して開蓋する構成としたことを特徴とする収納ケースに係るものである。
【００１０】
また、上部を開口したケース本体１と、このケース本体１の上部開口部２を閉蓋する蓋体３とから成り、前記ケース本体１を平面視長方形に形成すると共に、前記蓋体３で上部開口部２を閉蓋した状態でベッドＢの下の空間Ｓに収納し得る高さに設定し、前記ケース本体１の底面にローラ状の走行車輪４を設けてベッドＢの下の空間Ｓに引き出し移動自在に収納する構成とし、前記走行車輪４は、走行方向を前記ケース本体１の長辺部長さ方向と短辺部長さ方向とに切り替え自在に設けた構成とし、前記ケース本体１は、一のケース本体１と他のケース本体１とをケース本体１の短辺部長さ方向に係脱自在に連結する連結部５を長辺部側壁部１Ａに設けた構成とし、前記蓋体３は、前記ケース本体１の上部開口部２の長さ方向一側を閉蓋する第一蓋半体３Ａと、長さ方向他側を閉蓋する第二蓋半体３Ｂとから成り、前記第一蓋半体３Ａ及び前記第二蓋半体３Ｂは夫々、前記上部開口部２の長さ方向の中央部側となる内側端部を枢着し、外側端部を上方に持ち上げ回動して開蓋する構成としたことを特徴とする収納ケースに係るものである。
【００１１】
また、前記ケース本体１の対向する長辺部側壁部１Ａの夫々に前記連結部５としての係止部５Ａ及びこの係止部５Ａに係合係止する係止受部５Ｂとを設けると共に、一側の長辺部側壁部１Ａに設けた係止部５Ａと他側の長辺部側壁部１Ａに設けた係止受部５Ｂとを対向状態に配設し、他側の長辺部側壁部１Ａに設けた係止部５Ａと一側の長辺部側壁部１Ａに設けた係止受部５Ｂとを対向状態に配設した構成としたことを特徴とする請求項１，３のいずれか１項に記載の収納ケースに係るものである。
【発明の効果】
【００１２】
本発明は上述のように構成したから、ベッドの脇から壁までの間隔が狭くて縦向きにベッドの下の空間に収納したケース本体全体を手前側に引き出すことができない場合、ケース本体をベッドの下の空間に横向きにして引き出し移動自在に収納することができ、しかも、複数のケース本体をケース本体の短辺部長さ方向に連結することができ、このケース本体同士を連結した状態で、ケース本体を横向きにして一のケース本体が手前側、他のケース本体が奥側に位置するようにベッドの下の空間に収納した際、手前側の一のケース本体を引き出すことで奥側の他のケース本体も一緒に手前側に引き出され、奥側に収納した他のケース本体も容易にベッドの下から引き出すことができ、この奥側の他のケース本体に収納した収納物も容易に出し入れすることができ、ベッドの下の空間の奥側まで収納スペースとして有効的に利用することができる実用性に優れた画期的な収納ケースとなる。
【００１３】
また、請求項２記載の発明においては、ベッドの脇から壁までの間隔が狭くて縦向きにベッドの下の空間に収納したケース本体全体を手前側に引き出すことができない場合、縦向きに収納したケース本体全体をベッドの下から引き出さなくても、途中まで引き出したケース本体の上部開口部の一側を閉蓋している第一蓋半体、第二蓋半体の一方を開閉操作することで、ケース本体からの収納物の出し入れができるので、ベッドの脇から壁までの間隔が狭くてもベッドの下の空間にケース本体を縦向きに収納することができ、これにより、ケース本体をベッドの長さ方向に並設状態に収納することができるので、複数のケース本体をベッドの下の空間に収納することができ、ベッドの下の空間を収納スペースとして有効的に利用することができる実用性に優れた画期的な収納ケースとなる。
【００１４】
また、請求項３記載の発明においては、請求項１記載の発明と請求項２記載の発明の双方の使用方法を併せ持ったものとなり、より一層実用性に優れた画期的な収納ケースとなる。
【００１５】
また、請求項４記載の発明においては、ケース本体同士を連結する際に、係止部と係止受部とが係合するようにケース本体同士の向きを合わせる必要が無く、一のケース本体の対向する長辺部側壁部のいずれの側にも他のケース本体を連結することができる実用性に優れた収納ケースとなる。
【図面の簡単な説明】
【００１６】
【図１】本実施例を示す分解斜視図である。
【図２】本実施例を示す底面図である。
【図３】本実施例の走行車輪及び車輪取付け部を示す平面図である。
【図４】本実施例の使用状態の一例を示す平面図である。
【図５】本実施例の係止部及び係止受部を示す斜視図である。
【図６】本実施例の蓋体を示す分解平面部である。
【図７】本実施例の使用方法を示す説明図である。
【図８】本実施例の使用方法を示す説明図である。
【図９】本実施例の使用方法を示す説明図である。
【図１０】本実施例の使用方法を示す説明図である。
【図１１】従来例を示す説明図である。
【発明を実施するための形態】
【００１７】
好適と考える本発明の実施形態を、図面に基づいて本発明の作用を示して簡単に説明する。
【００１８】
請求項１記載の発明は、ケース本体１の底面に設けた走行車輪４の取り付け向きを付け替えることにより、ケース本体１の走行方向を長辺部長さ方向と短辺部長さ方向とに切り替えることができる。
【００１９】
即ち、走行車輪４の走行方向がケース本体１の長辺部長さ方向となるように走行車輪４の向きを付け替えれば、ケース本体１は、長辺部長さ方向に移動自在、言い換えると、ケース本体１を縦向きにした状態で前後方向に移動自在となり、走行車輪４の走行方向がケース本体１の短辺部長さ方向となるように走行車輪４の向きを付け替えれば、ケース本体１は、短辺部長さ方向に移動自在、言い換えると、ケース本体１を横向きにした状態で前後方向に移動自在となる。
【００２０】
従って、例えば、ケース本体１をベッドＢの下の空間Ｓに収納する際、ベッドＢの脇（ベッドＢの幅方向一側）から壁までの間隔がケース本体１の長辺部長さ寸法よりも狭く、ケース本体１を縦向きにしてベッドＢの下の空間Ｓから引き出すスペースがなく、横向きにしてベッドＢの下の空間Ｓに収納する場合は、走行車輪４の取付け向きをケース本体１の短辺部長さ方向が走行方向となるように付け替えることで、ケース本体１は短辺部長さ方向に移動自在となり、よって、横向きにしてベッドＢの下の空間Ｓに対して、ベッドＢの脇（ベッドＢの幅方向一側）から引き出し移動自在に収納することができる。
【００２１】
また、上記のようにケース本体１を横向きにしてベッドＢの下の空間Ｓに収納する場合で、且つ複数のケース本体１をベッドＢの下の空間Ｓに収納する場合、横向きにした一のケース本体１の長辺部側壁部１Ａに設けた連結部５と、同じく横向きにした他のケース本体１の長辺部側壁部１Ａに設けた連結部５とを連結して、この一のケース本体１と他のケース本体１とをケース本体１の短辺部長さ方向に連結してベッドＢの下の空間Ｓに収納すれば、手前側の一のケース本体１を引き出し移動すると、奥側の他のケース本体１も一緒に手前側に移動するので、奥側の他のケース本体１も引き出し易くなる。
【００２２】
即ち、手前側の一のケース本体１をベッドＢの下から引き出し、この引き出した一のケース本体１を奥側の他のケース本体１との連結を解除して別の位置に移動させると、奥側の他のケース本体１を手前側に引き出すスペースができ、また、奥側の他のケース本体１は、手前側の一のケース本体１を引き出した際、この一のケース本体１と共に手前側に移動し、容易に引き出せる位置まで移動しているので、この奥側に収納した他のケース本体１も容易に手前側に引き出すことができる。
【００２３】
このように、請求項１記載の発明においては、ベッドＢの脇から壁までの間隔が狭くて縦向きにベッドＢの下の空間Ｓに収納したケース本体１全体を手前側に引き出すことができない場合、ケース本体１をベッドＢの下の空間Ｓに横向きにして引き出し移動自在に収納することができ、しかも、複数のケース本体１をケース本体１の短辺部長さ方向に連結することができ、このケース本体１同士を連結した状態で、ケース本体１を横向きにして一のケース本体１が手前側、他のケース本体１が奥側に位置するようにベッドＢの下の空間Ｓに収納した際、手前側の一のケース本体１を引き出すことで奥側の他のケース本体１も一緒に手前側に引き出され、奥側に収納した他のケース本体１も容易にベッドＢの下から引き出すことができ、この奥側の他のケース本体１に収納した収納物も容易に出し入れすることができ、ベッドＢの下の空間Ｓの奥側まで収納スペースとして有効的に利用することができる実用性に優れた画期的な収納ケースとなる。
【００２４】
また、請求項２記載の発明は、請求項１記載の発明と同様に、ケース本体１の底面に設けた走行車輪４の取り付け向きを付け替えることにより、ケース本体１の走行方向を長辺部長さ方向と短辺部長さ方向とに切り替えることができる。
【００２５】
また、例えば、ケース本体１をベッドＢの下の空間Ｓに収納する際、ベッドＢの脇（ベッドＢの幅方向一側）から壁までの間隔がケース本体１の長辺部長さ寸法よりも狭く、ケース本体１全体を縦向きにしてベッドＢの下の空間Ｓから引き出すスペースがなく、収納物を出し入れする際にケース本体１を途中までしか手前側に引き出すことができず、蓋体３を取り外すことができなくても、手前側に位置する第一蓋半体３Ａ又は第二蓋半体３Ｂを開閉操作することで、蓋体３をケース本体１から取り外さなくても収納物の出し入れができる。
【００２６】
このように、請求項２記載の発明においては、ベッドＢの脇から壁までの間隔が狭くて縦向きにベッドＢの下の空間Ｓに収納したケース本体１全体を手前側に引き出すことができない場合、縦向きに収納したケース本体１全体をベッドＢの下から引き出さなくても、途中まで引き出したケース本体１の上部開口部２の一側を閉蓋している第一蓋半体３Ａ、第二蓋半体３Ｂの一方を開閉操作することで、ケース本体１からの収納物の出し入れができるので、ベッドＢの脇から壁までの間隔が狭くてもベッドＢの下の空間Ｓにケース本体１を縦向きに収納することができ、これにより、ケース本体１をベッドＢの長さ方向に並設状態に収納することができるので、複数のケース本体１をベッドＢの下の空間Ｓに収納することができ、ベッドＢの下の空間Ｓを収納スペースとして有効的に利用することができる実用性に優れた画期的な収納ケースとなる。
【００２７】
また、請求項３記載の発明は、請求項１記載の発明と請求項２記載の発明の双方の使用方法を併せ持ったものとなり、より一層実用性に優れた画期的な収納ケースとなる。
【実施例】
【００２８】
本発明の具体的な実施例について図面に基づいて説明する。
【００２９】
本実施例は、押し入れやベッドＢの下の空間Ｓ等の収納スペースに収納しておく、衣類・雑貨・小物等を収納する収納ケースであり、図１に示すように、上部を開口したケース本体１とこのケース本体１の上部開口部２を閉蓋する蓋体３とから成る構成としている。
【００３０】
以下、本実施例に係る構成各部について詳細に説明する。
【００３１】
本実施例のケース本体１は、上部を開口した平面視長方形状の箱体に形成すると共に、上部開口部２を後述する蓋体３で閉蓋した状態でベッドＢの下の空間Ｓに収納し得る高さに設定し、ベッドＢの下の空間Ｓに収納可能な形状に形成した構成としている。
【００３２】
また、本実施例のケース本体１は、底面に走行車輪４を設けてベッドＢの下の空間Ｓに引き出し移動自在に収納する構成としている。
【００３３】
具体的には、走行車輪４は、図２，図３に示すように、ローラ状に形成し、ケース本体１の裏面の各角部（四隅）と中央部とに設けた車輪取付け部６に着脱自在に設けた構成とし、より具体的には、走行車輪４の車軸４Ａを車輪取付け部６の車軸受部６Ａに圧入嵌合して枢着する構成としている。
【００３４】
更に詳細に説明すると、車輪取付け部６は、図３に示すように、ケース本体１の長辺部側壁部１Ａと平行な一対の対向垂下壁部と、ケース本体１の短辺部側壁部１Ｂと平行な一対の垂下壁部との四片の垂下壁部から成る四角環状枠体に構成し、各垂下壁部の下端縁に走行車輪４の車軸４Ａを圧入嵌合により枢着する凹状の車軸受部６Ａを設けた構成として、走行車輪４の取り付け向きをケース本体１の長辺部長さ方向と短辺部長さ方向とに切り替え自在に設けて、走行車輪４の走行方向（回転方向）を切り替え自在とした構成としている。
【００３５】
即ち、走行車輪４の車軸４Ａをケース本体１の長辺部側壁部１Ａと平行な一対の対向垂下壁部に設けた車軸受部６Ａに枢着した場合は、走行車輪４の走行方向（回転方向）がケース本体１の長辺部長さ方向となり、ケース本体１は、このケース本体１の長辺部長さ方向に走行移動自在となり、また、走行車輪４の車軸４Ａをケース本体１の短辺部側壁部１Ｂと平行な一対の対向垂下壁部に設けた車軸受部６Ａに枢着した場合は、走行車輪４の走行方向（回転方向）がケース本体１の短辺部長さ方向となり、ケース本体１は、このケース本体１の短辺部長さ方向に走行移動自在となるように構成している。
【００３６】
また更に、本実施例は、一のケース本体１と他のケース本体１とをケース本体１の短辺部長さ方向に係脱自在に連結する連結部５をケース本体１の長辺部側壁部１Ａに設けた構成とし、図４に示すように、ケース本体１の短辺部長さ方向に複数連結し得る構成としている。
【００３７】
本実施例では、連結部５同士の連結は、係止部５Ａと係止受部５Ｂとの凹凸係合による連結構造とし、具体的には、図５に示すように、係止部５Ａを蟻ほぞ状の凸状部に形成し、係止受部５Ｂを蟻溝状の凹状部に形成し、上下方向に係脱自在に嵌合すると共に、水平方向に抜け止め状態で連結する構成としている。
【００３８】
より具体的には、本実施例は、ケース本体１の対向する長辺部側壁部１Ａの夫々の上部側に連結部５としての係止部５Ａ及びこの係止部５Ａに係合係止する係止受部５Ｂとを設けると共に、一側の長辺部側壁部１Ａに設けた係止部５Ａと他側の長辺部側壁部１Ａに設けた係止受部５Ｂとを対向状態に配設し、他側の長辺部側壁部１Ａに設けた係止部５Ａと一側の長辺部側壁部１Ａに設けた係止受部５Ｂとを対向状態に配設した構成としている。
【００３９】
即ち、本実施例は、ケース本体１を１８０°回転させて向きを変えても、係止部５Ａと係止受部５Ｂの位置関係が変わらず、ケース本体１同士を連結する際に、一々係止部５Ａと係止受部５Ｂとが係合するようにケース本体１同士の向きを合わせる必要が無く、単にケース本体の長辺部同士が対向するように並設することで、即ち、ケース本体１の短辺部長さ方向に並設することで、係止部５Ａと係止受部５Ｂとが連結可能な対向位置に配設されるように構成している。
【００４０】
また、このケース本体１の上部開口部２を閉蓋する蓋体３は、図１に示すように、ケース本体１の上部開口部２の長さ方向一側を閉蓋する第一蓋半体３Ａと、長さ方向他側を閉蓋する第二蓋半体３Ｂとから成る構成とし、この第一蓋半体３Ａ及び前記第二蓋半体３Ｂは夫々、ケース本体１の上部開口部２を閉蓋した状態で、蓋体３の長さ方向の中央部側となる内側端部を枢着し、外側端部を上方に持ち上げ回動して開蓋する構成としている。
【００４１】
具体的には、蓋体３は、第一蓋半体３Ａと第二蓋半体３Ｂとの夫々の長さ方向寸法を同寸法に設定し、第一蓋半体３Ａでケース本体１の上部開口部２の一側半分を閉蓋し、第二蓋半体３Ｂでケース本体１の上部開口部２の他側半分を閉蓋するように構成している。
【００４２】
より具体的には、本実施例の蓋体３は、図６に示すように、同じ金型で成型した同一品である第一蓋半体３Ａと第二蓋半体３Ｂとから成り、夫々の長さ方向一側端部（本実施例では閉蓋状態における長さ方向内側端部）同士を枢着して、第一蓋半体３Ａに対して第二蓋半体３Ｂを回動自在に連結した構成としている。
【００４３】
この同一形状に形成した第一蓋半体３Ａ及び第二蓋半体３Ｂは夫々、平面視方形状に形成し、長さ方向内側端部に回動軸部７と軸受部８とを左右方向に並設状態に設けて、この第一蓋半体３Ａと第二蓋半体３Ｂとを夫々、長さ方向内側端部同士が対向するように配設すると、第一蓋半体３Ａの回動軸部７と第二蓋半体３Ｂの軸受部８とが対向状態となると共に、第二蓋半体３Ｂの回動軸部７と第一蓋半体３Ａの軸受部８とが対向状態となって、この対向する回動軸部７と軸受部８とを互いに枢着連結することで、同一形状品である第一蓋半体３Ａと第二蓋半体３Ｂとを枢着連結することができるように構成している。
【００４４】
即ち、本実施例は、蓋体３を構成する第一蓋半体３Ａと第二蓋半体３Ｂとを枢着連結して形成した構成とし、この蓋体３でケース本体１の上部開口部２を閉蓋した状態において、第一蓋半体３Ａと第二蓋半体３Ｂの一方の外側端部を持ち上げ回動して開蓋して、ケース本体１の上部開口部２の半分側から収納物を出し入れすることができるように構成している。
【００４５】
尚、図中符号９は蓋体３の閉蓋状態を保持する蓋係止部９であり、符号10は前記蓋係止部９が係合係止する蓋係止受部10である。
【００４６】
上述のように構成した本実施例の作用・効果について以下に説明する。
【００４７】
本実施例の収納ケース11は、ケース本体１の底面に設けた走行車輪４の取り付け向きを付け替えることにより、走行方向をケース本体１の長辺部長さ方向と短辺部長さ方向とに切り替えることができる。
【００４８】
即ち、走行車輪４の走行方向がケース本体１の長辺部長さ方向となるように走行車輪４の向きを付け替えれば、収納ケース11は、長辺部長さ方向に移動自在、言い換えると、この収納ケース11を縦向きにした状態で前後方向に移動自在となり、走行車輪４の走行方向がケース本体１の短辺部長さ方向となるように走行車輪４の向きを付け替えれば、収納ケース11は、ケース本体１の短辺部長さ方向に移動自在、言い換えると、この収納ケース11を横向きにした状態で前後方向に移動自在となる。
【００４９】
従って、例えば、本実施例の収納ケース11をベッドＢの下の空間Ｓに収納する際、ベッドＢの脇（ベッドＢの幅方向一側）から壁までの間隔が収納ケース11（ケース本体１）の長辺部長さ寸法よりも狭く、縦向きにしてベッドＢの下の空間Ｓから引き出すスペースが無い場合でも、走行車輪４の取付け向きをケース本体１の短辺部長さ方向が走行方向となるように付け替えることで、短辺部長さ方向に移動自在となり、よって、図７に示すように、横向きにしてベッドＢの下の空間Ｓに対して、ベッドＢの脇（ベッドＢの幅方向一側）から引き出し移動自在に収納することができる。
【００５０】
また、上記のように横向きにしてベッドＢの下の空間Ｓに収納する場合で、且つ複数、ベッドＢの下の空間Ｓに収納する場合、横向きにした一の収納ケース11のケース本体１の長辺部側壁部１Ａに設けた連結部５と、同じく横向きにした他の収納ケース11のケース本体１の長辺部側壁部１Ａに設けた連結部５とを連結して、この一の収納ケース11と他の収納ケース11とをこの収納ケース11の短辺部長さ方向に連結してベッドＢの下の空間Ｓに収納すれば、図８に示すように、手前側の一の収納ケース11を引き出し移動すると、奥側の他の収納ケース11も一緒に手前側に移動するので、奥側の他の収納ケース11も引き出し易くなる。
【００５１】
即ち、図９に示すように、手前側の一の収納ケース11をベッドＢの下の空間Ｓから引き出し、この引き出した一の収納ケース11を奥側の他の収納ケース11との連結を解除して別の位置に移動させると、奥側の他の収納ケース11を手前側に引き出すスペースができ、また、奥側の他の収納ケース11は、手前側の一の収納ケース11を引き出した際、この一の収納ケース11と共に手前側に移動し、容易に引き出せる位置まで移動しているので、この奥側に収納した他の収納ケース11も容易に手前側に引き出すことができる。
【００５２】
また、本実施例は、蓋体３を構成する第一蓋半体３Ａと第二蓋半体３Ｂとを枢着連結して形成した構成としたので、上記同様にベッドＢの脇（ベッドＢの幅方向一側）から壁までの間隔がケース本体１の長辺部長さ寸法よりも狭く、縦向きにしてベッドＢの下の空間Ｓから引き出すスペースがなく、収納物を出し入れする際に収納ケース11を途中までしか手前側に引き出すことができず、蓋体３を取り外すことができなくても、図１０に示すように、縦向きに収納した収納ケース11をベッドＢの下の空間Ｓから途中まで引き出し、この途中まで引き出した収納ケース11のケース本体１の上部開口部２の一側を閉蓋している第一蓋半体３Ａ、第二蓋半体３Ｂの一方の外側端部を持ち上げ回動して開蓋して、ケース本体１の上部開口部２の半分側から収納物を出し入れすることができる。
【００５３】
このように、本実施例は、ベッドＢの脇（ベッドＢの幅方向一側）から壁までの間隔が収納ケース11（ケース本体１）の長辺部長さ寸法よりも狭く、収納ケース11全体を縦向きにしてベッドＢの下の空間Ｓから引き出すスペースがないような場合でも、横向き、縦向きのいずれの方向でも複数並べてベッドＢの下の空間Ｓに収納することができ、ベッドＢの下の空間Ｓを収納スペースとして有効的に利用することができる実用性に優れた画期的な収納ケースとなる。
【００５４】
尚、本発明は、本実施例に限られるものではなく、各構成要件の具体的構成は適宜設計し得るものである。
【符号の説明】
【００５５】
１  ケース本体
１Ａ  長辺部側壁部
２  上部開口部
３  蓋体
３Ａ  第一蓋半体
３Ｂ  第二蓋半体
４  走行車輪
５  連結部
５Ａ  係止部
５Ｂ  係止受部
Ｂ  ベッド
Ｓ  空間
【図１】
2014201320.tif 000003
【図２】
2014201320.tif 000004
【図３】
2014201320.tif 000005
【図４】
2014201320.tif 000006
【図５】
2014201320.tif 000007
【図６】
2014201320.tif 000008
【図７】
2014201320.tif 000009
【図８】
2014201320.tif 000010
【図９】
2014201320.tif 000011
【図１０】
2014201320.tif 000012
【図１１】
2014201320.tif 000013